(57)【要約】      （修正有）【課題】小型で手ブレ補償時にも光学性能が良好で、ズーミング時のズームトルク変動が小さくピント移動が少ない防振機能を有するズームレンズを提供する。【解決手段】物体側より順に正の屈折力を有する第１レンズ群Ｇ１、負の屈折力を有する第２レンズ群Ｇ２、正の屈折力を有する第３レンズ群Ｇ３、負の屈折力を有する第４レンズ群前群Ｇ４Ａと正の屈折力を有する第４レンズ群後群Ｇ４Ｂとから構成され負の屈折力を有する第４レンズ群Ｇ４、及び正の屈折力を有する第５レンズ群Ｇ５で構成され、前記第４レンズ群前群Ｇ４Ａを光軸に対して略垂直方向に移動させることで、手ブレ等で発生した像移動を補正することを特徴とする。【選択図】図１
2015055858.tif 000002
【特許請求の範囲】
【請求項１】
物体側より順に、
正の屈折力を有する第１レンズ群Ｇ１と、負の屈折力を有する第２レンズ群Ｇ２と、物体側に開口絞りＳを有し正の屈折力を有する第３レンズ群Ｇ３と、負の屈折力を有する第４レンズ群Ｇ４と、正の屈折力を有する第５レンズ群Ｇ５とで構成され、
前記第４レンズ群Ｇ４は物体側より順に負の屈折力を有する第４レンズ群前群Ｇ４Ａと正の屈折力を有する第４レンズ群後群Ｇ４Ｂとからなり、
広角端から望遠端へのズーミングに際して、前記第１レンズ群Ｇ１と前記第２レンズ群Ｇ２との間隔が変化し、前記第２レンズ群Ｇ２と前記第３レンズ群Ｇ３との間隔が減少し、前記第３レンズ群Ｇ３と前記第４レンズ群Ｇ４との間隔が増加し、前記第４レンズ群Ｇ４と前記第５レンズ群Ｇ５との間隔が減少するように移動し、
前記第４レンズ群前群Ｇ４Ａを光軸に対して略垂直方向に移動させることで、像を光軸に対して垂直方向に移動させて手ブレ等で発生した像移動を補正することが可能であり、以下の条件式を満足することを特徴とする防振機能を有するズームレンズ。
（１）      ０．７０＜ｆ１／ｆＴ＜１．２５
（２）    −０．２２＜ｆ２／ｆＴ＜−０．１０
ｆ１：前記第１レンズ群Ｇ１の焦点距離
ｆ２：前記第２レンズ群Ｇ２の焦点距離
ｆＴ：望遠端におけるズームレンズ全系の焦点距離
【請求項２】
請求項１に記載の防振機能を有するズームレンズであって、さらに以下の条件式を満足することを特徴とする防振機能を有するズームレンズ。
（３）      −０．８０＜ｆ４Ａ／ｆ４Ｂ＜０．００
ｆ４Ａ：前記第４レンズ群前群Ｇ４Ａの焦点距離
ｆ４Ｂ：前記第４レンズ群後群Ｇ４Ｂの焦点距離
【請求項３】
請求項１又は請求項２に記載の防振機能を有するズームレンズであって、さらに以下の条件式を満足することを特徴とする防振機能を有するズームレンズ。
（４）      ０．２０＜ｆ３／ｆＴ＜０．５０
ｆ３：前記第３レンズ群Ｇ３の焦点距離
ｆＴ：望遠端におけるズームレンズ全系の焦点距離
【請求項４】
請求項１乃至請求項３のいずれかに記載の防振機能を有するズームレンズであって、さらに以下の条件式を満足することを特徴とする防振機能を有するズームレンズ。
（５）      １５．００＜ｆ２／βＷ３４５＜２２．００
ｆ２：前記第２レンズ群Ｇ２の焦点距離
βＷ３４５：広角端における前記第３レンズ群Ｇ３、前記第４レンズ群Ｇ４、前記第５レンズ群Ｇ５の合成倍率
【請求項５】
請求項１乃至請求項４のいずれかに記載の防振機能を有するズームレンズであって、さらに前記第２レンズ群Ｇ２を光軸に沿って像面側から物体側へ移動させることで、無限遠から近距離物体にフォーカシングを行う防振機能を有するズームレンズ。
【発明の詳細な説明】
【技術分野】
【０００１】
本発明は、デジタルカメラ、ビデオカメラや銀塩カメラ等に用いられる防振機能を有するズームレンズに関する。
【背景技術】
【０００２】
撮影系に振動が伝わることによって撮影画像に画像のブレが生じる。下記に示す特許文献は、振動によって発生した画像のブレを補償する防振機能を有するズームレンズを開示している。
【先行技術文献】
【特許文献】
【０００３】
【特許文献１】特開２００６−２２７５２６号公報
【特許文献２】特開２００９−２４４４４３号公報
【特許文献３】特開２０１１−１６４５５０号公報
【特許文献４】特開２０１１−１６４５５１号公報
【発明の概要】
【発明が解決しようとする課題】
【０００４】
特許文献１、特許文献２、特許文献３及び特許文献４は、いずれの実施例も第４レンズ群を有している。第４レンズ群は全体で負の屈折力を有し、物体側より順に光軸と垂直方向に移動させて画像のブレを補償する負の屈折力を有するレンズ群、又は光軸と垂直方向に移動させて画像のブレを補償する負の屈折力を有するレンズ群と負の屈折力を有するレンズ群とから構成される。
【０００５】
従来の防振機能を有する光学系は、画像のブレ補償時に光学性能が劣化していたが、これらの特許文献１乃至４では、画像のブレ補償時にも良好な光学性能を得ることが明記されている。しかし、いずれの実施例も第４レンズ群は、前述したように光軸と垂直方向に移動させて画像のブレを補償する負の屈折力を有するレンズ群のみ、又は負の屈折力を有するレンズ群を加えた構成である。そのため、第４レンズ群内でペッツバール和を小さくすることは困難である。光学系全系でペッツバール和を小さくしようとすると正の屈折力を有するレンズ群のペッツバール和を大きくする必要がある。その場合、ペッツバール和を大きくした正の屈折力を有するレンズ群は、一般に知られている色消しの条件を満たすことが困難となる。その結果、軸上色収差補正が困難であるという課題を有する。
【０００６】
以上のことから、特許文献１乃至４は画像のブレ補償時にも良好な光学性能を得ることが明記されてはいたが、その効果は十分ではなかった。
【０００７】
そこで、本発明は、上記課題を解決し、全長・径ともに小型で手ブレ補償時にも光学性能が良好で、さらには、ズーミング時のズームトルク変動が小さくピント移動が少ない防振機能を有するズームレンズを提供することを目的とする。
【課題を解決するための手段】
【０００８】
上記課題を解決するための手段である第１の発明は、正の屈折力を有する第１レンズ群Ｇ１と、負の屈折力を有する第２レンズ群Ｇ２と、物体側に開口絞りＳを有し正の屈折力を有する第３レンズ群Ｇ３と、負の屈折力を有する第４レンズ群Ｇ４と、正の屈折力を有する第５レンズ群Ｇ５とで構成され、前記第４レンズ群Ｇ４は物体側より順に負の屈折力を有する第４レンズ群前群Ｇ４Ａと正の屈折力を有する第４レンズ群後群Ｇ４Ｂとからなり、広角端から望遠端へのズーミングに際して、前記第１レンズ群Ｇ１と前記第２レンズ群Ｇ２との間隔が変化し、前記第２レンズ群Ｇ２と前記第３レンズ群Ｇ３との間隔が減少し、前記第３レンズ群Ｇ３と前記第４レンズ群Ｇ４との間隔が増加し、前記第４レンズ群Ｇ４と前記第５レンズ群Ｇ５との間隔が減少するように移動し、前記第４レンズ群前群Ｇ４Ａを光軸に対して略垂直方向に移動させることで、像を光軸に対して垂直方向に移動させて手ブレ等で発生した像移動を補正することが可能であり、以下の条件式を満足することを特徴とする防振機能を有するズームレンズである。
（１）      ０．７０＜ｆ１／ｆＴ＜１．２５
（２）    −０．２２＜ｆ２／ｆＴ＜−０．１０
ｆ１：前記第１レンズ群Ｇ１の焦点距離
ｆ２：前記第２レンズ群Ｇ２の焦点距離
ｆＴ：望遠端におけるズームレンズ全系の焦点距離
【０００９】
また、上述の課題を解決するための手段である第２の発明は、第１の発明である防振機能を有するズームレンズであって、さらに以下の条件式を満足することを特徴とする防振機能を有するズームレンズである。
（３）      −０．８０＜ｆ４Ａ／ｆ４Ｂ＜０．００
ｆ４Ａ：前記第４レンズ群前群Ｇ４Ａの焦点距離
ｆ４Ｂ：前記第４レンズ群後群Ｇ４Ｂの焦点距離
【００１０】
また、上述の課題を解決するための手段である第３の発明は、第１の発明又は第２の発明である防振機能を有するズームレンズであって、さらに以下の条件式を満足することを特徴とする防振機能を有するズームレンズである。
（４）      ０．２０＜ｆ３／ｆＴ＜０．５０
ｆ３：前記第３レンズ群Ｇ３の焦点距離
ｆＴ：望遠端におけるズームレンズ全系の焦点距離
【００１１】
また、上述の課題を解決するための手段である第４の発明は、第１の発明乃至第３の発明のいずれかである防振機能を有するズームレンズであって、さらに以下の条件式を満足することを特徴とする防振機能を有するズームレンズである。
（５）      １５．００＜ｆ２／βＷ３４５＜２２．００
ｆ２：前記第２レンズ群Ｇ２の焦点距離
βＷ３４５：広角端における前記第３レンズ群Ｇ３、前記第４レンズ群Ｇ４、前記第５レンズ群Ｇ５の合成倍率
【００１２】
また、上述の課題を解決するための手段である第５の発明は、第１の発明乃至第４の発明のいずれかである防振機能を有するズームレンズであって、さらに前記第２レンズ群Ｇ２を光軸に沿って像面側から物体側へ移動させることで、無限遠から近距離物体にフォーカシングを行う防振機能を有するズームレンズである。
【発明の効果】
【００１３】
本発明によれば、デジタルカメラ、銀塩カメラ等に用いられるズームレンズであって、全長・径ともに小型で手ブレ補償時にも光学性能が良好で、ズーミング時のズームトルク変動が小さくピント移動が少ない防振機能を有するズームレンズを提供することができる。
【図面の簡単な説明】
【００１４】
【図１】実施例１の防振機能を有するズームレンズの広角端の無限遠におけるレンズ構成図
【図２】実施例１の防振機能を有するズームレンズの広角端の無限遠における縦収差図
【図３】実施例１の防振機能を有するズームレンズの中間焦点距離（ｆ＝５２．７５ｍｍ）の無限遠における縦収差図
【図４】実施例１の防振機能を有するズームレンズの望遠端の無限遠における縦収差図
【図５】実施例１の防振機能を有するズームレンズの広角端の無限遠における標準状態での横収差図
【図６】実施例１の防振機能を有するズームレンズの中間焦点距離（ｆ＝５２．７５ｍｍ）の無限遠における標準状態での横収差図
【図７】実施例１の防振機能を有するズームレンズの望遠端の無限遠における標準状態での横収差図
【図８】実施例１の防振機能を有するズームレンズの広角端の無限遠における０．１５°手ブレ補正時の横収差図。
【図９】実施例１の防振機能を有するズームレンズの中間焦点距離（ｆ＝５２．７５ｍｍ）の無限遠における０．１５°手ブレ補正時の横収差図
【図１０】実施例１の防振機能を有するズームレンズの望遠端の無限遠における０．１５°手ブレ補正時の横収差図
【図１１】実施例２の防振機能を有するズームレンズの広角端の無限遠におけるレンズ構成図
【図１２】実施例２の防振機能を有するズームレンズの広角端の無限遠における縦収差図
【図１３】実施例２の防振機能を有するズームレンズの中間焦点距離（ｆ＝５０．５８ｍｍ）の無限遠における縦収差図
【図１４】実施例２の防振機能を有するズームレンズの望遠端の無限遠における縦収差図
【図１５】実施例２の防振機能を有するズームレンズの広角端の無限遠における標準状態での横収差図
【図１６】実施例２の防振機能を有するズームレンズの中間焦点距離（ｆ＝５０．５８ｍｍ）の無限遠における標準状態での横収差図
【図１７】実施例２の防振機能を有するズームレンズの望遠端の無限遠における標準状態での横収差図
【図１８】実施例２の防振機能を有するズームレンズの広角端の無限遠における０．１５°手ブレ補正時の横収差図
【図１９】実施例２の防振機能を有するズームレンズの中間焦点距離（ｆ＝５０．５８ｍｍ）の無限遠における０．１５°手ブレ補正時の横収差図
【図２０】実施例２の防振機能を有するズームレンズの望遠端の無限遠における０．１５°手ブレ補正時の横収差図
【図２１】実施例３の防振機能を有するズームレンズの広角端の無限遠におけるレンズ構成図
【図２２】実施例３の防振機能を有するズームレンズの広角端の無限遠における縦収差図
【図２３】実施例３の防振機能を有するズームレンズの中間焦点距離（ｆ＝５０．００ｍｍ）の無限遠における縦収差図
【図２４】実施例３の防振機能を有するズームレンズの望遠端の無限遠における縦収差図
【図２５】実施例３の防振機能を有するズームレンズの広角端の無限遠における標準状態での横収差図
【図２６】実施例３の防振機能を有するズームレンズの中間焦点距離（ｆ＝５０．００ｍｍ）の無限遠における標準状態での横収差図
【図２７】実施例３の防振機能を有するズームレンズの望遠端の無限遠における標準状態での横収差図
【図２８】実施例３の防振機能を有するズームレンズの広角端の無限遠における０．１５°手ブレ補正時の横収差図
【図２９】実施例３の防振機能を有するズームレンズの中間焦点距離（ｆ＝５０．００ｍｍ）の無限遠における０．１５°手ブレ補正時の横収差図
【図３０】実施例３の防振機能を有するズームレンズの望遠端の無限遠における０．１５°手ブレ補正時の横収差図
【図３１】実施例４の防振機能を有するズームレンズの広角端の無限遠におけるレンズ構成図
【図３２】実施例４の防振機能を有するズームレンズの広角端の無限遠における縦収差図
【図３３】実施例４の防振機能を有するズームレンズの中間焦点距離（ｆ＝５０．５４ｍｍ）の無限遠における縦収差図
【図３４】実施例４の防振機能を有するズームレンズの望遠端の無限遠における縦収差図
【図３５】実施例４の防振機能を有するズームレンズの広角端の無限遠における標準状態での横収差図
【図３６】実施例４の防振機能を有するズームレンズの中間焦点距離（ｆ＝５０．５４ｍｍ）の無限遠における標準状態での横収差図
【図３７】実施例４の防振機能を有するズームレンズの望遠端の無限遠における標準状態での横収差図
【図３８】実施例４の防振機能を有するズームレンズの広角端の無限遠における０．１５°手ブレ補正時の横収差図
【図３９】実施例４の防振機能を有するズームレンズの中間焦点距離（ｆ＝５０．５４ｍｍ）の無限遠における０．１５°手ブレ補正時の横収差図
【図４０】実施例４の防振機能を有するズームレンズの望遠端の無限遠における０．１５°手ブレ補正時の横収差図
【発明を実施するための形態】
【００１５】
本願発明の防振機能を有するズームレンズは、第１の発明として、図１、図１１、図２１及び図３１に示す本願発明の実施例のレンズ構成図からわかるように、物体側より順に、正の屈折力を有する第１レンズ群Ｇ１と、負の屈折力を有する第２レンズ群Ｇ２と、物体側に開口絞りＳを有し正の屈折力を有する第３レンズ群Ｇ３と、負の屈折力を有する第４レンズ群Ｇ４と、正の屈折力を有する第５レンズ群Ｇ５とで構成され、前記第４レンズ群Ｇ４は物体側より順に負の屈折力を有する第４レンズ群前群Ｇ４Ａと正の屈折力を有する第４レンズ群後群Ｇ４Ｂとからなり、広角端から望遠端へのズーミングに際して、前記第１レンズ群Ｇ１と前記第２レンズ群Ｇ２との間隔が変化し、前記第２レンズ群Ｇ２と前記第３レンズ群Ｇ３との間隔が減少し、前記第３レンズ群Ｇ３と前記第４レンズ群Ｇ４との間隔が増加し、前記第４レンズ群Ｇ４と前記第５レンズ群Ｇ５との間隔が減少するように移動し、前記第４レンズ群前群Ｇ４Ａを光軸に対して略垂直方向に移動させることで、像を光軸に対して垂直方向に移動させて手ブレ等で発生した像移動を補正することが可能であり、以下の条件式を満足することを特徴とする防振機能を有するズームレンズ。
（１）      ０．７０＜ｆ１／ｆＴ＜１．２５
（２）    −０．２２＜ｆ２／ｆＴ＜−０．１０
ｆ１：前記第１レンズ群Ｇ１の焦点距離
ｆ２：前記第２レンズ群Ｇ２の焦点距離
ｆＴ：望遠端におけるズームレンズ全系の焦点距離
【００１６】
第１の発明である防振機能を有するズームレンズの第４レンズ群Ｇ４は、物体側より順に負の屈折力を有する第４レンズ群前群Ｇ４Ａと正の屈折力を有する第４レンズ群後群Ｇ４Ｂとから構成される。こうすることで、第４レンズ群Ｇ４のペッツバール和を小さくすることが可能となり、防振機能を有するズームレンズ全系でのペッツバール和を小さく抑えることが可能となる。その結果、軸上色収差補正が容易となる。
【００１７】
条件式（１）は、第１レンズ群Ｇ１の焦点距離と望遠端におけるレンズ全系の焦点距離との比を規定する。望遠端の焦点距離に適した第１レンズ群Ｇ１の焦点距離を規定することで、望遠端で十分な結像性能を得ることに寄与する。
【００１８】
条件式（１）の下限値を超えて、第１レンズ群Ｇ１の屈折力が強くなると、第１レンズ群Ｇ１内の各面で曲率が強くなる傾向にあり、球面収差、コマ収差の補正が不十分となる。加えて、望遠端での軸上色収差、倍率色収差の補正が困難になり、２次スペクトルが増加する。
【００１９】
条件式（１）の上限値を超えて、第１レンズ群Ｇ１の屈折力が弱くなると、収差補正は有利になる。しかし、望遠端へのズーミング時に第１レンズ群Ｇ１と第２レンズ群Ｇ２との間隔が大きくなるので、望遠端での軸外光束の主光線がレンズの外周近くを通るため、第１レンズ群のレンズ外径を小さくしようとすると、特に防振時に十分な周辺光量の確保が出来なくなる。
【００２０】
なお、上述した条件式（１）について、その下限値をさらに０．８０に、また、上限値をさらに１．１５に限定することで、前述の効果をより確実にすることができる。
【００２１】
条件式（２）は、第２レンズ群Ｇ２の焦点距離と防振機能を有するズームレンズ系の望遠端における焦点距離との比を規定する条件式である。負の屈折力を持つ第２レンズ群Ｇ２の焦点距離を適切に設定することで望遠端でのレンズ全長の小型化に貢献する。
【００２２】
条件式（２）の下限値を超えて、望遠端の焦点距離に対して第２レンズ群Ｇ２の負の屈折力が強くなると、第２レンズ群内の負レンズの曲率が強くなる傾向にあり、望遠端での球面収差、非点収差の補正が困難になり、光学性能に好ましくない。
【００２３】
条件式（２）の上限値を超えて、望遠端の焦点距離に対して第２レンズ群Ｇ２の負の屈折力が弱くなると、望遠端での第２レンズ群Ｇ２の結像倍率が小さくなる。すると望遠端での第３レンズ群Ｇ３、第４レンズ群Ｇ４と第５レンズ群Ｇ５の合成した結像倍率を大きくしなければならなくなり、ズーミング時の各レンズ群の移動量が大きくなり、ズームレンズ光学系の小型化が困難となる。さらに、望遠端で大きく発生する負の球面収差が顕著になるので、望遠端で十分な光学性能が得られないという問題が生じる。
【００２４】
なお、上述した条件式（２）について、その下限値をさらに−０．２０に、また、上限値をさらに−０．１３に限定することで、前述の効果をより確実にすることができる。
【００２５】
また第２の発明である防振機能を有するズームレンズは第１の発明であって、さらに以下に示す条件式を満足することを特徴とする。
（３）      −０．８０＜ｆ４Ａ／ｆ４Ｂ＜０．００
ｆ４Ａ：前記第４レンズ群前群Ｇ４Ａの焦点距離
ｆ４Ｂ：前記第４レンズ群後群Ｇ４Ｂの焦点距離
【００２６】
条件式（３）は、第４レンズ群前群Ｇ４Ａと第４レンズ群後群Ｇ４Ｂの焦点距離の比を規定する式である。第４レンズ群前群Ｇ４Ａの焦点距離を適切にすることで、手ブレ補償時の光学性能は良好となり、適切な手ブレ補償効果を得られる。
【００２７】
条件式（３）の下限値を超えて、手ブレ補償を行うレンズ群である第４レンズ群前群Ｇ４Ａの屈折力が小さくなると、手ブレ補償時の光学性能は良好となる。しかし、手ブレ補償効果は得にくくなる。さらには、第４レンズ群後群Ｇ４Ｂの屈折力が強くなり、第４レンズ群Ｇ４全体の偏芯による製造誤差敏感度が大きくなり製造時の光学性能が低下する畏れがある。
【００２８】
条件式（３）の上限値を超えて、手ブレ補償を行うレンズ群である第４レンズ群前群Ｇ４Ａの屈折力が大きくなると、手ブレ補償時の偏芯コマ収差或いは、色収差の収差補正が困難となり、手ブレ補償時の良好な光学性能を得られなくなる。
【００２９】
なお、上述した条件式（３）について、その下限値をさらに−０．５０に限定することで、前述の効果をより確実にすることができる。
【００３０】
また第３の発明である防振機能を有するズームレンズは第１の発明又は第２の発明であって、さらに以下に示す条件式を満足することを特徴とする。
（４）      ０．２０＜ｆ３／ｆＴ＜０．５０
ｆＴ：望遠端におけるズームレンズ全系の焦点距離
ｆ３：前記第３レンズ群Ｇ３の焦点距離
【００３１】
条件式（４）は、第３レンズ群Ｇ３の焦点距離と望遠端におけるレンズ全系の焦点距離との比を規定する式である。第３レンズ群Ｇ３の焦点距離を適切にすることで、ズームレンズ光学系の小型化に寄与する。
【００３２】
条件式（４）の下限値を超えて、望遠端の焦点距離に対して第３レンズ群Ｇ３の焦点距離が短くなると、第４レンズ群Ｇ４に入射する光線高が低くなり、手ブレ補償群である第４レンズ群前群Ｇ４Ａが小さくなることで、駆動アクチュエーターを小さくすることが可能となることから、ズームレンズ光学系の小型化に寄与する。しかし、正レンズの曲率が強くなりすぎる傾向にあり、第３レンズ群Ｇ３全体の偏芯による製造誤差敏感度が大きくなり製造時の光学性能が低下する畏れがある。
【００３３】
条件式（４）の上限値を超えて、望遠端の焦点距離に対して第３レンズ群Ｇ３の焦点距離が長くなると、正レンズの曲率が弱くなり、望遠端の球面収差を良好にすることが出来る。しかし、第３レンズ群Ｇ３のズーミング時の移動量が大きくなり、ズームレンズ光学系の小型化が困難となる。
【００３４】
なお、上述した条件式（４）について、その下限値をさらに０．２５に、また、上限値をさらに０．４５に限定することで、前述の効果をより確実にすることができる。
【００３５】
ズームレンズのズーミング時は、各レンズ群を鏡筒内で適切に移動させるために複数のカム軌跡を組み合わせて合成している。ズーミング時にユーザーが一定の力でズームリングを操作することができることが望ましい。そのためには、ズーミング時のズームトルク変動を小さくする必要がある。従って、各レンズ群のズーム移動を行うカム軌跡を組み合わせた合成量を適切に設定する必要がある。
【００３６】
前述のようなズームレンズにおいて、ズーム移動量が大きな第１レンズ群Ｇ１、第３レンズ群Ｇ３、第５レンズ群Ｇ５のズームトルクの変動を小さくするには、第２レンズ群Ｇ２に適切な像面補正効果を持たせることが重要となる。加えて、第２レンズ群Ｇ２をフォーカシングに利用する場合、第２レンズ群Ｇ２のズームトルクの変動も小さくする必要がある。第２レンズ群Ｇ２のズームトルクの変動を小さくするには、第２レンズ群Ｇ２の焦点距離の設定及び、第３レンズ群から像側に位置するレンズ群の合成倍率の設定が重要になる。さらに、ズーミング時は各ズーム域において、第１レンズ群Ｇ１と第２レンズ群Ｇ２のレンズ間隔を適切に設定することで、周辺光量の低下が顕著にならないようにする必要がある。
【００３７】
そこで、ズーミング時の第２レンズ群Ｇ２の移動について述べる。ズーミング時、第２レンズ群Ｇ２は、像面側から物体側に向かって単調増加傾向に近い軌跡で移動するのが理想的な軌跡である。しかし、広角端から望遠端へのズーミングの際、広角端近傍から中間焦点域においては第２レンズ群Ｇ２は像面側に凸の軌跡を描いてＵターンし、物体側に移動する。これは、第３レンズ群Ｇ３以降の合成倍率が小さくなる程、第２レンズ群Ｇ２でズーミング時に適切な像面補正を行うためである。
【００３８】
しかし、広角端近傍においては、特に無限遠撮影時における防振時の周辺光量の低下を防ぐために、第１レンズ群Ｇ１と第２レンズ群Ｇ２との間隔を狭く設定する必要がある。以上のことから、第２レンズ群Ｇ２のＵターン量がより大きくなってしまうので、第３レンズ群以降の合成倍率を適切に設定する必要がある。
【００３９】
続いて、中間焦点域から望遠端においては第２レンズ群Ｇ２の物体側への移動量は大きくなる。これは、特に近距離撮影時における防振時の周辺光量低下を防ぐために、第１レンズ群Ｇ１と第２レンズ群Ｇ２との間隔を狭く設定しなければならないからである。
【００４０】
このような、第２レンズ群Ｇ２のレンズ移動の軌跡がＵ字傾向となる課題に対して、ズーミング時のズームトルク変動を小さくし、フォーカス時のピント移動を改善するためには、第２レンズ群Ｇ２のズーム軌跡のＵ字傾向を小さくすることが重要である。従って、第２レンズ群Ｇ２の焦点距離および、第３レンズ群以降の合成倍率を適切な条件に設定する必要がある。
【００４１】
以上のことから、第４の発明である防振機能を有するズームレンズは、第１の発明乃至第３の発明のいずれかであって、さらに以下の条件式を満足することが望ましい。
（５）      １５．００＜ｆ２／βＷ３４５＜２２．００
ｆ２：前記第２レンズ群Ｇ２の焦点距離
βＷ３４５：広角端における前記第３レンズ群Ｇ３、前記第４レンズ群Ｇ４、前記第５レンズ群Ｇ５の合成倍率
【００４２】
条件式（５）は、第２レンズ群の焦点距離と、第３レンズ群Ｇ３、第４第レンズ群Ｇ４、第５レンズ群Ｇ５の合成倍率を規定した式である。この条件式（５）を満たすことで、ズーミング時のズームトルク変動を小さくし、フォーカス時のピント移動の改善に寄与する。
【００４３】
条件式（５）の下限値を超えて、第２レンズ群Ｇ２の負の屈折力が強くなると、ズーミング時のズームトルク変動が小さくなりピント移動も改善する。しかし、広角端での非点収差の補正フォーカシングによる非点収差の収差補正が困難になる。さらに、第２レンズ群Ｇ２にはより高屈折率な硝材を用いる必要が生じるので、広角端における倍率色収差の補正が不十分となる。また、広角端での第３レンズ群以降の合成倍率βＷ３４５が大きくなることで条件式（５）の下限値を超えると、第１レンズ群Ｇ１と第２レンズ群Ｇ２の合成で負の屈折力を強くしなくてはならないので、レトロフォーカス傾向がより強まるパワー配置となるので、広角端における歪曲収差の補正が問題となる。
【００４４】
条件式（５）の上限値を超えて、第２レンズ群Ｇ２の負の屈折力が弱くなると、第２レンズ群のフォーカス移動量が大きくなるので、広角端での第１レンズ群と第２レンズ群との間隔を広く確保しなければならず、非点収差の補正が困難になる。また、広角端における第３レンズ群以降の合成倍率βＷ３４５が小さくなることで条件式（５）の上限値を超えると、ズーム移動時に第２レンズ群Ｇ２がスムーズに移動する軌跡を描くことが出来なくなり、ズーミング時のズームトルク変動を小さくすることが困難となる。
【００４５】
なお、上述した条件式（５）について、その下限値をさらに１６．５０に、また、上限値をさらに２１．００に限定することで、前述の効果をより確実にすることができる。
【００４６】
以下に、前述した本発明の防振機能を有するズームレンズに係る実施例１乃至４の数値データを示す。
【００４７】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【００４８】
面番号に付した＊（アスタリスク）は、そのレンズ面形状が非球面であることを示している。また、ＢＦはバックフォーカスを表している。
【００４９】
面番号に付した（絞り）は、その位置に開口絞りＳが位置していることを示している。平面又は開口絞りＳに対する曲率半径には∞（無限大）を記入している。
【００５０】
［非球面データ］には、［面データ］において＊を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をそれぞれＡ４、Ａ６、Ａ８、Ａ１０と置くとき、非球面の座標が以下の式で表されるものとする。
2015055858.tif 000003
【００５１】
［各種データ］には、各焦点距離状態における焦点距離等の値を示している。
【００５２】
［可変間隔データ］には、各焦点距離状態における可変間隔及びＢＦ（バックフォーカス）の値を示している。
【００５３】
［レンズ群データ］には、各レンズ群を構成する最も物体側の面番号及び群全体の合成焦点距離を示している。
【００５４】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００５５】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【００５６】
さらに、図１、図１１、図２１及び図３１に示すレンズ構成図において、Ｉは像面、中心を通る一点鎖線は光軸である。
【実施例１】
【００５７】
図１は、本発明の実施例１の防振機能を有するズームレンズのレンズ構成図である。物体側より順に、第１レンズ群Ｇ１と第２レンズ群Ｇ２と第３レンズ群Ｇ３と第４レンズ群Ｇ４と第５レンズ群Ｇ５とからなり、第１レンズ群Ｇ１は全体として正の屈折力を有しており、物体側に凸面を向けた負メニスカスレンズＬ１ａと物体側に凸面を向けた正メニスカスレンズＬ１ｂとの２枚のレンズからなる接合レンズと、物体側に凸面を向けた正メニスカスレンズＬ１ｃとで構成されている。
【００５８】
第２レンズ群Ｇ２は全体として負の屈折力を有しており、物体側に凸面を向けた負メニスカスレンズＬ２ａと、両凹形状の負レンズＬ２ｂと、両凸形状の正レンズＬ２ｃと、像側に凸面を向けた負メニスカスレンズＬ２ｄとで構成されており、負メニスカスレンズＬ２ａの物体側のレンズ面は所定の非球面形状となっている樹脂の層が形成されている。
【００５９】
第３レンズ群Ｇ３は全体として正の屈折力を有しており、開口絞りＳと、両凸形状の正レンズＬ３ａと、物体側に凸面を向けた負メニスカスレンズＬ３ｂと物体側に凸面を向けた正メニスカスレンズＬ３ｃとの２枚のレンズからなる接合レンズと、両凸形状の正レンズＬ３ｄとで構成されている。
【００６０】
第４レンズ群Ｇ４は全体として負の屈折力を有しており、物体側に凹面を向けた正メニスカスレンズＬ４ａと両凹形状の負レンズＬ４ｂとの２枚のレンズからなる接合レンズで構成される負の屈折力を有する第４レンズ群前群Ｇ４Ａと、物体側に凸面を向けた正メニスカスレンズＬ４ｃと、物体側に凹面を向けた負メニスカスレンズＬ４ｄからなる正の屈折力を有する第４レンズ群後群Ｇ４Ｂとで構成されており、両凹形状の負レンズＬ４ｂの像側のレンズ面は所定の非球面形状となっている。第４レンズ群前群Ｇ４Ａを光軸と略垂直方向に動かすことにより防振を行っている。
【００６１】
第５レンズ群Ｇ５は全体として正の屈折力を有しており、両凸形状の正レンズＬ５ａと、両凸形状の正レンズＬ５ｂと両凹形状の負レンズＬ５ｃとの２枚のレンズからなる接合レンズと、両凸形状の正レンズＬ５ｄとで構成されており、両凸形状の正レンズＬ５ａの両レンズ面は所定の非球面形状となっている。
【００６２】
また、実施例１の防振機能を有するズームレンズは、広角端から望遠端へのズーミングに際して、第１レンズ群Ｇ１と第２レンズ群Ｇ２との間隔が大きく、第２レンズ群Ｇ２と第３レンズ群Ｇ３との間隔が小さくなり、無限遠から近距離物体へのフォーカシングに際して、第２レンズ群Ｇ２を物体側に移動させる。
【００６３】
続いて、以下に実施例１に係る防振機能を有するズームレンズの諸元値を示す。
数値実施例1
単位：mm
[面データ]
面番号                r              d             nd             vd
物面                  ∞           (d0)
1             200.0000         1.7500        1.84666          23.78
2              78.8290         8.1910        1.72916          54.67
3             998.8660         0.1500
4              58.4900         6.6480        1.72916          54.67
5             145.3560           (d5)
6*             614.6130         0.1000        1.51840          52.10
7             137.7290         1.1000        1.88300          40.80
8              16.6280         7.3970
9             -37.2120         0.9500        1.72916          54.67
10             106.7260         0.1730
11              45.1210         4.5880        1.84666          23.78
12             -45.1210         1.0000
13             -28.5210         0.9000        1.72916          54.67
14             -84.3050          (d14)
15（絞り）               ∞         1.1500
16              76.3230         2.3540        1.72916          54.67
17            -578.5590         0.1500
18              31.8080         0.8000        2.00100          29.13
19              19.6780         5.4990        1.43700          95.10
20             236.4150         0.1500
21              56.9870         5.0320        1.49700          81.61
22             -38.7170          (d22)
23             -38.1790         2.3400        1.84666          23.78
24             -25.3210         0.9000        1.59171          66.86
25*             93.4700         1.1920
26              29.0120         2.4500        1.90366          31.31
27              48.4830         2.3810
28             -63.5070         0.8000        1.84666          23.78
29          -62040.0000          (d29)
30*             35.0758         7.2780        1.58673          60.99
31*            -25.4050         0.1500
32             302.6930         5.9710        1.62004          36.30
33             -20.5000         0.8000        1.90366          31.31
34              35.1520         2.0160
35             429.1600         2.3810        1.91082          35.25
36             -84.3980           (BF)
像面                  ∞
[非球面データ]
6面           25面           30面           31面
K           0.00000        0.00000        0.00000        0.00000
A4           1.33980E-05   -4.03460E-07   -1.35780E-05    1.07760E-05
A6          -2.01690E-08   -1.39880E-08   -5.93500E-09   -4.71680E-10
A8           1.54090E-11    2.72550E-11    1.34960E-10    3.26740E-11
A10          2.13740E-14                  -6.44750E-13   -2.90050E-13
[各種データ]
広角           中間           望遠
焦点距離             24.85          52.75         117.06
Fナンバー             4.06           4.00           4.07
全画角2ω            83.81          42.94          20.24
像高Y              21.63          21.63          21.63
レンズ全長           152.73         172.00         199.28
[可変間隔データ]
広角           中間           望遠
d5               3.5040        20.5000        45.4830
d14             24.2790        10.3840         2.4000
d22              2.0250         7.1730         5.3220
d29              7.5310         2.8030         0.7500
BF              38.6526        54.4039        68.5866
[レンズ群データ]
群            始面            焦点距離
G1              1               103.87
G2              6               -17.71
G3             15                32.09
G4             23               -53.24
G5             30                52.18
G4A            23               -54.42
G4B            26              1120.67
【実施例２】
【００６４】
図１１は、本発明の実施例２の防振機能を有するズームレンズのレンズ構成図である。物体側より順に、第１レンズ群Ｇ１と第２レンズ群Ｇ２と第３レンズ群Ｇ３と第４レンズ群Ｇ４と第５レンズ群Ｇ５とからなり、第１レンズ群Ｇ１は全体として正の屈折力を有しており、物体側に凸面を向けた負メニスカスレンズＬ１ａと両凸形状の正レンズＬ１ｂとの２枚のレンズからなる接合レンズと、物体側に凸面を向けた正メニスカスレンズＬ１ｃとで構成されている。
【００６５】
第２レンズ群Ｇ２は全体として負の屈折力を有しており、物体側に凸面を向けた負メニスカスレンズＬ２ａと、両凹形状の負レンズＬ２ｂと、両凸形状の正レンズＬ２ｃと、像側に凸面を向けた負メニスカスレンズＬ２ｄとで構成されており、負メニスカスレンズＬ２ａの物体側のレンズ面と負メニスカスレンズＬ２ｄの像側のレンズ面は所定の非球面形状となっている。
【００６６】
第３レンズ群Ｇ３は全体として正の屈折力を有しており、開口絞りＳと、両凸形状の正レンズＬ３ａと、物体側に凸面を向けた負メニスカスレンズＬ３ｂと両凸形状の正レンズＬ３ｃとの２枚のレンズからなる接合レンズと、両凸形状の正レンズＬ３ｄとで構成されている。
【００６７】
第４レンズ群Ｇ４は全体として負の屈折力を有しており、物体側に凹面を向けた正メニスカスレンズＬ４ａと両凹形状の負レンズＬ４ｂとの２枚のレンズからなる接合レンズで構成される負の屈折力を有する第４レンズ群前群Ｇ４Ａと、両凸形状の正レンズＬ４ｃと両凹形状の負レンズＬ４ｄとからなる接合レンズで構成される正の屈折力を有する第４レンズ群後群Ｇ４Ｂとで構成されている。第４レンズ群前群Ｇ４Ａを光軸と略垂直方向に動かすことにより防振を行っている。
【００６８】
第５レンズ群Ｇ５は全体として正の屈折力を有しており、両凸形状の正レンズＬ５ａと、物体側に凹面を向けた正メニスカスレンズＬ５ｂと両凹形状の負レンズＬ５ｃとの２枚のレンズからなる接合レンズと、両凸形状の正レンズＬ５ｄとで構成されており、両凸形状の正レンズＬ５ａの両レンズ面は所定の非球面形状となっている。
【００６９】
また、実施例２の防振機能を有するズームレンズは、広角端から望遠端へのズーミングに際して、第１レンズ群Ｇ１と第２レンズ群Ｇ２との間隔が大きく、第２レンズ群Ｇ２と第３レンズ群Ｇ３との間隔が小さくなり、無限遠から近距離物体へのフォーカシングに際して、第２レンズ群Ｇ２を物体側に移動させる。
【００７０】
続いて、以下に実施例２に係る防振機能を有するズームレンズの諸元値を示す。
数値実施例2
単位：mm
[面データ]
面番号                r              d             nd             vd
物面                  ∞           (d0)
1             220.6200         1.7500        1.84666          23.78
2              87.6840         8.4200        1.59349          67.00
3           -1001.5910         0.1500
4              58.2620         6.4000        1.77250          49.62
5             142.0050           (d5)
6*             129.8850         1.2000        1.88300          40.80
7              15.6100         6.6390
8             -36.7260         0.9500        1.72916          54.67
9             111.2650         0.5910
10              45.9190         4.4240        1.84666          23.78
11             -45.9180         0.8760
12             -30.7960         1.1000        1.69350          53.20
13*           -161.6570          (d13)
14（絞り）               ∞         1.1500
15              39.1280         3.3460        1.43700          95.10
16           -1000.3210         2.0540
17              36.6610         1.0000        2.00100          29.13
18              19.9800         5.6760        1.59282          68.62
19            -203.6470         0.1930
20              81.4350         3.4070        1.59282          68.62
21             -81.4350          (d21)
22             -33.0220         2.7160        1.84666          23.78
23             -20.3720         0.8000        1.54814          45.82
24              84.8870         1.0390
25              26.6210         5.0510        1.60342          38.01
26             -75.2670         0.8140        1.74400          44.90
27              36.8840          (d27)
28*             43.5380         6.0300        1.59201          67.02
29*            -30.3040         0.2060
30             -58.6150         2.6680        1.43700          95.10
31             -35.5860         0.9850        1.90366          31.31
32              48.4120         0.8390
33              82.7690         4.2080        1.77250          49.62
34             -63.7330           (BF)
像面                  ∞
[非球面データ]
6面           13面           28面           29面
K           0.00000        0.00000        0.00000        0.00000
A4           5.91650E-06   -8.67000E-07   -1.14570E-05    7.29430E-06
A6          -1.11810E-08    1.60320E-09   -1.66350E-08   -1.48540E-08
A8          -7.85810E-12   -2.28310E-10    3.43440E-11    4.15830E-11
A10          4.32170E-14    1.10010E-12
[各種データ]
広角           中間           望遠
焦点距離             24.86          50.58         101.70
Fナンバー             4.06           4.11           4.07
全画角2ω            84.59          45.20          23.15
像高Y              21.63          21.63          21.63
レンズ全長           151.90         170.47         198.20
[可変間隔データ]
広角           中間           望遠
d5               3.3360        17.3520        43.1030
d13             22.2610         8.3040         2.2550
d21              2.8250         7.2730         9.4150
d27              9.3350         3.7400         1.8180
BF              39.4591        59.1232        66.9314
[レンズ群データ]
群            始面             焦点距離
G1              1               104.32
G2              6               -17.06
G3             14                30.17
G4             22               -62.58
G5             28                63.48
G4A            22               -58.25
G4B            25               416.90
【実施例３】
【００７１】
図２１は、本発明の実施例３の防振機能を有するズームレンズのレンズ構成図である。物体側より順に、第１レンズ群Ｇ１と第２レンズ群Ｇ２と第３レンズ群Ｇ３と第４レンズ群Ｇ４と第５レンズ群Ｇ５とからなり、第１レンズ群Ｇ１は全体として正の屈折力を有しており、物体側に凸面を向けた負メニスカスレンズＬ１ａと物体側に凸面を向けた正メニスカスレンズＬ１ｂとの２枚のレンズからなる接合レンズと、物体側に凸面を向けた正メニスカスレンズＬ１ｃとで構成されている。
【００７２】
第２レンズ群Ｇ２は全体として負の屈折力を有しており、物体側に凸面を向けた負メニスカスレンズＬ２ａと、両凹形状の負レンズＬ２ｂと、両凸形状の正レンズＬ２ｃと、像側に凸面を向けた負メニスカスレンズＬ２ｄとで構成されており、負メニスカスレンズＬ２ａの物体側のレンズ面は所定の非球面形状となっている。
【００７３】
第３レンズ群Ｇ３は全体として正の屈折力を有しており、開口絞りＳと、物体側に凸面を向けた正メニスカスレンズＬ３ａと、物体側に凸面を向けた負メニスカスレンズＬ３ｂと両凸形状の正レンズＬ３ｃとの２枚のレンズからなる接合レンズと、両凸形状の正レンズＬ３ｄとで構成されている。
【００７４】
第４レンズ群Ｇ４は全体として負の屈折力を有しており、両凹形状の負レンズＬ４ａと物体側に凸面を向けた正メニスカスレンズＬ４ｂとの２枚のレンズからなる接合レンズで構成される負の屈折力を有する第４レンズ群Ｇ４Ａと、物体側に凸面を向けた正メニスカスレンズＬ４ｃからなる第４レンズ群Ｇ４Ｂとで構成されており、両凹形状の負レンズＬ４ａの物体側の面は所定の非球面形状となっている。第４レンズ群前群Ｇ４Ａを光軸と略垂直方向に動かすことにより防振を行っている。
【００７５】
第５レンズ群Ｇ５は全体として正の屈折力を有しており、両凸形状の正レンズＬ５ａと、物体側に凹面を向けた正メニスカスレンズＬ５ｂと両凹形状の負レンズＬ５ｃとの２枚のレンズからなる接合レンズで構成されており、両凸形状の正レンズＬ５ａの両レンズ面は所定の非球面形状となっている。
【００７６】
また、実施例３の防振機能を有するズームレンズは、広角端から望遠端へのズーミングに際して、第１レンズ群Ｇ１と第２レンズ群Ｇ２との間隔が大きく、第２レンズ群Ｇ２と第３レンズ群Ｇ３との間隔が小さくなり、無限遠から近距離物体へのフォーカシングに際して、第２レンズ群Ｇ２を物体側に移動させる。
【００７７】
続いて、以下に実施例３に係る防振機能を有するズームレンズの諸元値を示す。
数値実施例3
単位：mm
[面データ]
面番号                r              d             nd             vd
物面                  ∞           (d0)
1             250.0000         1.5000        1.84666          23.78
2              82.1490         7.2060        1.77250          49.62
3             821.4110         0.1500
4              62.6140         5.3530        1.77250          49.62
5             163.3070           (d5)
6*             104.7770         0.8500        1.85135          40.10
7              17.2890         8.0430
8             -43.6060         0.8500        1.72916          54.67
9              48.9640         0.4980
10              37.3030         6.2160        1.80518          25.46
11             -44.0640         0.9800
12             -29.2990         0.8500        1.72916          54.67
13            -115.9540          (d13)
14（絞り）               ∞         1.0000
15              35.0260        11.4840        1.49700          81.60
16            1849.0240         0.1500
17              36.8490         1.0000        2.00100          29.13
18              20.8950         5.6610        1.43700          95.10
19            -269.3320         0.1500
20              35.7980         3.9400        1.49700          81.60
21            -328.3160          (d21)
22*            -81.9170         1.0000        1.69350          53.20
23              34.0560         2.1420        1.92286          20.88
24              62.0600         2.4430
25              34.8170         2.2380        1.49700          81.60
26              62.1440          (d26)
27*             61.5870         6.2190        1.80610          40.73
28*            -35.0890         0.1500
29             -88.8390         3.0740        1.49700          81.60
30             -40.9640         1.0000        1.80518          25.46
31              69.9990           (BF)
像面                  ∞
[非球面データ]
6面           22面           27面           28面
K           0.00000       22.91277        0.00000        0.00000
A4           4.40520E-06    4.91366E-06   -6.90440E-06    6.34150E-06
A6          -5.31260E-11    2.10712E-08   -1.53580E-08   -1.30810E-08
A8          -1.99740E-11   -3.91921E-11    1.56770E-11    1.12020E-11
A10          4.52160E-14    2.89733E-13    3.78100E-14    5.34740E-14
[各種データ]
広角           中間           望遠
焦点距離             24.85          50.00         101.49
Fナンバー             2.83           3.38           4.13
全画角2ω            83.87          45.17          23.38
像高Y              21.63          21.63          21.63
レンズ全長           160.47         178.12         205.44
[可変間隔データ]
広角           中間           望遠
d5               3.3000        22.4870        39.5480
d13             25.7590        11.0340         1.3100
d21              2.5190        10.8400        15.4940
d26             14.5970         6.2770         1.6220
BF              40.1490        53.3326        73.3220
[レンズ群データ]
群            始面             焦点距離
G1              1               107.97
G2              6               -18.56
G3             14                35.34
G4             22               -98.86
G5             27                77.20
G4A            22               -59.99
G4B            25               155.09
【実施例４】
【００７８】
図３１は、本発明の実施例４の防振機能を有するズームレンズのレンズ構成図である。物体側より順に、第１レンズ群Ｇ１と第２レンズ群Ｇ２と第３レンズ群Ｇ３と第４レンズ群Ｇ４と第５レンズ群Ｇ５とからなり、第１レンズ群Ｇ１は全体として正の屈折力を有しており、物体側に凸面を向けた負メニスカスレンズＬ１ａと物体側に凸面を向けた正メニスカスレンズＬ１ｂとの２枚のレンズからなる接合レンズと、物体側に凸面を向けた正メニスカスレンズＬ１ｃとで構成されている。
【００７９】
第２レンズ群Ｇ２は全体として負の屈折力を有しており、物体側に凸面を向け負メニスカスレンズＬ２ａと、両凹形状の負レンズＬ２ｂと、両凸形状の正レンズＬ２ｃと、像側に凸面を向けた負メニスカスレンズＬ２ｄとで構成されており、負メニスカスレンズＬ２ａの物体側のレンズ面は所定の非球面形状となっている。
【００８０】
第３レンズ群Ｇ３は全体として正の屈折力を有しており、開口絞りＳと、両凸形状の正レンズＬ３ａと、物体側に凸面を向けた負メニスカスレンズＬ３ｂと両凸形状の正レンズＬ３ｃとの２枚のレンズからなる接合レンズとで構成されている。
【００８１】
第４レンズ群Ｇ４は全体として負の屈折力を有しており、物体側に凹面を向けた正メニスカスレンズＬ４ａと両凹形状の負レンズＬ４ｂとの２枚のレンズからなる接合レンズで構成される負の屈折力を有する第４レンズ群前群Ｇ４Ａと、物体側に凸面を向けた正メニスカスレンズＬ４ｃと像側に凸面を向けた負メニスカスレンズＬ４ｄとからなる正の屈折力を有する第４レンズ群後群Ｇ４Ｂとで構成されており、両凹形状の負レンズＬ４ｂの像側のレンズ面は所定の非球面形状となっている。第４レンズ群前群Ｇ４Ａを光軸と略垂直方向に動かすことにより防振を行っている。
【００８２】
第５レンズ群Ｇ５は全体として正の屈折力を有しており、両凸形状の正レンズＬ５ａと、両凸形状の正レンズＬ５ｂと両凹形状の負レンズＬ５ｃとの２枚のレンズからなる接合レンズと、物体側に凸面を向けた正メニスカスレンズＬ５ｄとで構成されており、両凸形状の正レンズＬ５ａの両レンズ面は所定の非球面形状となっている。
【００８３】
また、実施例４の防振機能を有するズームレンズは、広角端から望遠端へのズーミングに際して、第１レンズ群Ｇ１と第２レンズ群Ｇ２との間隔が大きく、第２レンズ群Ｇ２と第３レンズ群Ｇ３との間隔が小さくなり、無限遠から近距離物体へのフォーカシングに際して、第２レンズ群Ｇ２を物体側に移動させる。
【００８４】
続いて、以下に実施例４に係る防振機能を有するズームレンズの諸元値を示す。
数値実施例4
単位：mm
[面データ]
面番号                r              d             nd             vd
物面                  ∞           (d0)
1             200.0000         1.7500        1.84666          23.78
2              81.5930         7.6400        1.72916          54.67
3             893.1800         0.1500
4              56.9300         5.8960        1.77250          49.62
5             114.0700           (d5)
6*             116.5130         1.2000        1.83481          42.72
7              17.0000         7.6390
8             -39.0150         0.9500        1.77250          49.62
9              64.3750         1.8340
10              48.0960         4.8040        1.80518          25.46
11             -40.7930         0.9430
12             -26.4040         0.9000        1.77250          49.62
13             -61.3500          (d13)
14（絞り）               ∞         0.9700
15              47.3650         3.0380        1.49700          81.61
16            -196.9860         0.1500
17              28.3630         0.8000        2.00100          29.13
18              19.0480         6.6980        1.43700          95.10
19             -57.5460          (d19)
20             -55.5570         1.8400        1.84666          23.78
21             -39.9890         1.0000        1.58913          61.25
22*             71.7080         1.7910
23              37.4570         3.4360        1.80610          33.27
24             561.0080         1.9160
25             -37.7840         0.8000        1.58144          40.89
26            -483.2370          (d26)
27*             36.9380         6.8490        1.58313          59.46
28*            -25.3840         0.1500
29              88.1400         4.7190        1.49700          81.61
30             -27.7910         0.8000        1.80610          33.27
31              30.4420         1.6660
32              99.9860         2.0510        1.75520          27.53
33            8049.5770           (BF)
像面                  ∞
[非球面データ]
6面           22面           27面           28面
K           0.00000        0.00000        0.00000        0.00000
A4           7.18990E-06   -2.42680E-06   -1.35860E-05    1.36000E-05
A6          -4.99010E-09   -1.82950E-09    8.58250E-09   -2.24320E-09
A8          -1.03400E-11                  -1.92150E-11   -9.25420E-12
A10          5.93820E-14                  -5.90440E-14
[各種データ]
広角           中間           望遠
焦点距離             24.53          50.54         103.51
Fナンバー             4.06           4.07           4.09
全画角2ω            84.70          45.20          23.12
像高Y              21.63          21.63          21.63
レンズ全長           147.52         168.19         195.53
[可変間隔データ]
広角           中間           望遠
d5               3.4080        20.5000        44.9140
d13             22.7480         9.0010         1.3100
d19              2.0500         8.8250         8.6570
d26              8.2820         2.3540         0.7000
BF              38.6549        55.1266        67.5706
[レンズ群データ]
群            始面             焦点距離
G1              1               110.80
G2              6               -18.67
G3             14                38.95
G4             20               -94.30
G5             27                53.62
G4A            20               -58.52
G4B            23               141.21
【００８５】
また、これらの各実施例における条件式の対応値一覧を示す。
【００８６】
[条件式対応値]
条件式／実施例                1      2      3      4
(1)        0.70＜ｆ１／ｆＴ＜1.25           0.89   1.03   1.06   1.07
(2)        -0.22＜ｆ2／ｆＴ＜-0.10         -0.15  -0.17  -0.18  -0.18
(3)      -0.80＜ｆ４Ａ／ｆ４Ｂ＜0.00       -0.05  -0.14  -0.39  -0.41
(4)        0.20＜ｆ３／ｆＴ＜0.50           0.27   0.30   0.35   0.38
(5)    15.00＜ｆ２／βＷ３４５＜22.00      17.75  16.05  19.13  19.73
【符号の説明】
【００８７】
Ｇ１    第１レンズ群
Ｇ２    第２レンズ群
Ｇ３    第３レンズ群
Ｇ４    第４レンズ群
Ｇ４Ａ  第４レンズ群前群
Ｇ４Ｂ  第４レンズ群後群
Ｇ５    第５レンズ群
Ｓ      開口絞り
ｄ      ｄ線
ｇ      ｇ線
Ｃ      Ｃ線
ΔＳ    サジタル像面
ΔＭ    メリジオナル像面
【図１】
2015055858.tif 000004
【図２】
2015055858.tif 000005
【図３】
2015055858.tif 000006
【図４】
2015055858.tif 000007
【図５】
2015055858.tif 000008
【図６】
2015055858.tif 000009
【図７】
2015055858.tif 000010
【図８】
2015055858.tif 000011
【図９】
2015055858.tif 000012
【図１０】
2015055858.tif 000013
【図１１】
2015055858.tif 000014
【図１２】
2015055858.tif 000015
【図１３】
2015055858.tif 000016
【図１４】
2015055858.tif 000017
【図１５】
2015055858.tif 000018
【図１６】
2015055858.tif 000019
【図１７】
2015055858.tif 000020
【図１８】
2015055858.tif 000021
【図１９】
2015055858.tif 000022
【図２０】
2015055858.tif 000023
【図２１】
2015055858.tif 000024
【図２２】
2015055858.tif 000025
【図２３】
2015055858.tif 000026
【図２４】
2015055858.tif 000027
【図２５】
2015055858.tif 000028
【図２６】
2015055858.tif 000029
【図２７】
2015055858.tif 000030
【図２８】
2015055858.tif 000031
【図２９】
2015055858.tif 000032
【図３０】
2015055858.tif 000033
【図３１】
2015055858.tif 000034
【図３２】
2015055858.tif 000035
【図３３】
2015055858.tif 000036
【図３４】
2015055858.tif 000037
【図３５】
2015055858.tif 000038
【図３６】
2015055858.tif 000039
【図３７】
2015055858.tif 000040
【図３８】
2015055858.tif 000041
【図３９】
2015055858.tif 000042
【図４０】
2015055858.tif 000043